(57)【要約】【課題】複雑な操作をすることなく、デジタルオーディオデータの編集ポイントを見つけやすくしたデジタルオーディオ編集装置を提供する。【解決手段】デジタルオーディオ編集装置１は、ジョグダイアル１３の回転速度と回転方向を検出し、検出された回転速度と回転方向に応じ、表示部１１に表示されたデジタルオーディオ波形の移動量や移動方向を変化させる。この際、検出された回転速度が予め定められた閾値以上である状態が、予め定められた時間以上継続した場合に、前記表示部にデジタルオーディオ波形が表示されているオーディオファイルのデジタルオーディオ波形の全体の概観を表示したウィンドウを、デジタルオーディオ編集装置本体１０内の制御部により、表示部１１に表示する。また、前記ウィンドウを表示しているときに、検出された回転速度が予め定められた閾値未満になった場合には、前記制御部により、前記ウィンドウを消去する。【選択図】　図１
2004110944.tif 000002
【特許請求の範囲】
【請求項１】
デジタルオーディオデータを格納したオーディオファイルのデジタルオーディオ波形を表示部に表示し、該デジタルオーディオ波形に基づいて前記デジタルオーディオデータの編集を行うデジタルオーディオ編集装置であって、
前記表示部に表示されたデジタルオーディオ波形を時間軸方向に移動させるための回転操作子を備え、該回転操作子の回転速度および回転方向を検出し、検出された回転速度および回転方向に応じて、前記表示部に表示されたデジタルオーディオ波形の移動量および移動方向を変化させるデジタルオーディオ編集装置において、
前記検出された回転速度が予め定められた閾値以上である状態が、予め定められた時間以上継続したか否かを判定し、前記検出された回転速度が前記閾値以上である状態が、前記時間以上継続したと判定された場合に、前記表示部にデジタルオーディオ波形が表示されているオーディオファイルのデジタルオーディオ波形の全体の概観を、前記表示部に表示する制御手段を有することを特徴とするデジタルオーディオ編集装置。
【請求項２】
請求項１において、前記制御手段は、
検出された回転速度が前記閾値未満になったか否かを判定し、前記表示部に前記オーディオファイルのデジタルオーディオ波形の全体の概観を表示しているときに、検出された回転速度が前記閾値未満になったと判定された場合に、前記デジタルオーディオ波形の全体の概観の表示を消去することを特徴とするデジタルオーディオ編集装置。
【請求項３】
請求項１において、前記制御手段は、
前記オーディオファイルのデジタルオーディオ波形の全体の概観を、前記表示部上の前記デジタルオーディオ波形の表示の邪魔にならない位置に表示することを特徴とするデジタルオーディオ編集装置。
【請求項４】
請求項１において、前記制御手段は、
前記オーディオファイルが格納するデジタルオーディオデータの時間的な長さが、予め定められた第２の閾値より短いか否かを判定し、前記オーディオファイルが格納するデジタルオーディオデータの時間的な長さが、前記第２の閾値より短いと判定された場合に、前記オーディオファイルのデジタルオーディオ波形の全体の概観に代えて、前記オーディオファイルのデジタルオーディオ波形の全体の波形を縮小して表示することを特徴とするデジタルオーディオ編集装置。
【請求項５】
請求項１、請求項２、または請求項３のいずれか１項において、
前記オーディオファイルの前記デジタルオーディオ波形が、他の楽曲データの一部分を切り取ったデータであるブロックを、複数集めて構成されている場合には、
前記制御手段は、
前記デジタルオーディオ波形全体の概観として、当該デジタルオーディオ波形全体を構成する前記複数のブロックを、ブロック毎に識別可能に表示することを特徴とするデジタルオーディオ編集装置。
【請求項６】
デジタルオーディオデータを格納したオーディオファイルのデジタルオーディオ波形を表示部に表示し、該デジタルオーディオ波形に基づいて前記デジタルオーディオデータの編集を行うデジタルオーディオ編集装置であって、
前記表示部に表示されたデジタルオーディオ波形を時間軸方向に移動させるための回転操作子を備え、該回転操作子の回転速度および回転方向を検出し、検出された回転速度および回転方向に応じて、前記表示部に表示されたデジタルオーディオ波形の移動量および移動方向を変化させるデジタルオーディオ編集装置におけるデジタルオーディオ編集方法であって、
前記検出された回転速度が予め定められた閾値以上である状態が、予め定められた時間以上継続したか否かを判定し、前記検出された回転速度が前記閾値以上である状態が、前記時間以上継続したと判定された場合に、前記表示部にデジタルオーディオ波形が表示されているオーディオファイルのデジタルオーディオ波形の全体の概観を、前記表示部に表示することを特徴とするデジタルオーディオ編集方法。
【請求項７】
請求項６において、
検出された回転速度が前記閾値未満になったか否かを判定し、前記表示部に前記オーディオファイルのデジタルオーディオ波形の全体の概観を表示しているときに、検出された回転速度が前記閾値未満になったと判定された場合に、前記デジタルオーディオ波形の全体の概観の表示を消去することを特徴とするデジタルオーディオ編集方法。
【請求項８】
デジタルオーディオデータを格納したオーディオファイルのデジタルオーディオ波形を表示部に表示し、該デジタルオーディオ波形に基づいて前記デジタルオーディオデータの編集を行うデジタルオーディオ編集装置であって、
前記表示部に表示されたデジタルオーディオ波形を時間軸方向に移動させるための回転操作子を備え、該回転操作子の回転速度および回転方向を検出し、検出された回転速度および回転方向に応じて、前記表示部に表示されたデジタルオーディオ波形の移動量および移動方向を変化させるデジタルオーディオ編集装置におけるデジタルオーディオ編集方法をコンピュータに実行させるためのプログラムであって、
前記検出された回転速度が予め定められた閾値以上である状態が、予め定められた時間以上継続したか否かを判定し、前記検出された回転速度が前記閾値以上である状態が、前記時間以上継続したと判定された場合に、前記表示部にデジタルオーディオ波形が表示されているオーディオファイルのデジタルオーディオ波形の全体の概観を、前記表示部に表示する機能をコンピュータに実行させることを特徴とするプログラム。
【請求項９】
請求項８において、
検出された回転速度が前記閾値未満になったか否かを判定し、前記表示部に前記オーディオファイルのデジタルオーディオ波形の全体の概観を表示しているときに、検出された回転速度が前記閾値未満になったと判定された場合に、前記デジタルオーディオ波形の全体の概観の表示を消去する機能をコンピュータに実行させることを特徴とするプログラム。
【発明の詳細な説明】
【０００１】
【発明の属する技術分野】
本発明は、表示部に表示されるデジタルオーディオ波形に基づいて、デジタルオーディオデータの編集を行うデジタルオーディオ編集技術に係り、特に、複雑な操作をすることなく、デジタルオーディオデータの編集ポイントを見つけやすくしたデジタルオーディオ編集技術に関する。
【０００２】
【従来の技術】
デジタルオーディオ編集装置は、デジタルオーディオ波形を表示する表示部を備え、ユーザは、表示部に表示されたデジタルオーディオ波形に基づいて、デジタルオーディオデータの複製，移動，削除等の編集を行うようになっている。そして、その際のユーザの操作を支援するために、一般に、「ジョグダイアル」と呼ばれる回転操作子を備え、ユーザがジョグダイアルを操作することで、表示部に表示されたデジタルオーディオ波形を時間軸方向に移動させることができるようになっている。
【０００３】
具体的には、ジョグダイアルの回転速度により、表示部に表示されているデジタルオーディオ波形の移動量が変化し、ジョグダイアルの回転方向により、表示部に表示されているデジタルオーディオ波形の移動方向が変化するようになっている。
【０００４】
図７に、従来のデジタルオーディオ編集装置の概略構成図を示す。
【０００５】
図７において、従来のデジタルオーディオ編集装置７は、操作装置７５と、該操作装置７５に接続された制御部７２と、該制御部７２に接続された表示制御部７４と、該表示制御部７４に接続された表示部７３とを有する。操作装置７５は、ジョグダイアル７０と、パルス発生部７１とを有する。
【０００６】
従来のデジタルオーディオ編集装置７において、編集対象となるデジタルオーディオデータは、デジタルオーディオ編集装置７に接続された記録再生装置（図示せず）から、例えば、オーディオファイルとして呼び出されて、制御部７２へ入力される。
【０００７】
ジョグダイアル７０は、回転軸を中心に回転し、時計方向および反時計方向に回転する。ジョグダイアル７０の回転軸には、パルス発生部７１が接続されている。
【０００８】
パルス発生部７１は、例えば、ジョグダイアル７０の回転軸に取り付けられた円盤状の多数スリットを有するスリット板と、そのスリット部分が光を透過したり遮断したりするように固定された、フォトインタラプタとから構成されるようにすることができる。フォトインタラプタは、スリット板が光を遮断するときと透過するときとで異なるパルス性の電流（パルス信号）を発生する。制御部７２は、このパルス信号を、予め定められた時間間隔で計数することにより、回転速度を検出することができる。また、スリット板に、互いに９０度位相が異なるように配置された２組のスリットが同心円状に配置されるようにすることで、制御部７２は、２組のパルス信号から、回転方向を特定することができる。
【０００９】
表示制御部７４は、制御部７２の指示にしたがって、編集対象のデジタルオーディオデータを、デジタルオーディオ波形として、表示部７３に表示させる。
【００１０】
制御部７２は、パルス発生部７１が発生するパルス信号に基づいて特定したジョグダイアル７０の回転速度および回転方向に応じて、表示部７３に表示されたデジタルオーディオ波形の移動量や移動方向を変化させるよう、表示制御部７４に指示する。
【００１１】
なお、この種のデジタルオーディオ編集装置としては、例えば、特許文献１がある。
【００１２】
【特許文献１】
特開２００１−２９１３２１号公報
【００１３】
【発明が解決しようとする課題】
さて、デジタルオーディオ編集装置において、ユーザは、オーディオファイルを編集して、編集結果のファイルを得ることができる。例えば、複数のオーディオファイルから各々一部分を切り出し、切り出された各部分に対して、レベルを設定したり、フェードイン，フェードアウト等の処理を行い、上記各部分をつなげて、編集結果のファイルを得ることができる。
【００１４】
オーディオファイルを編集する際には、表示部の編集画面にオーディオファイルを呼び出してデジタルオーディオ波形を表示させ、カーソルで編集領域を指定する。
【００１５】
例えば、あるオーディオファイルから一部分だけを切り出して別の箇所に挿入したい場合に、ユーザは、まず、開始位置をカーソルで指定してこれをマークし、終了位置にカーソルを移動させてこれをマークする。その後、カットまたはコピーで、開始位置から終了位置までのデジタルオーディオ波形を切り出す。次に、挿入箇所にカーソルを移動させ、ペーストで、切り出されたデジタルオーディオ波形を挿入する。
【００１６】
このようなデジタルオーディオ波形画面を用いた編集作業においては，カーソルにより開始位置および終了位置を正確にマークすることができるようにするために、ユーザは、デジタルオーディオ波形画面の時間軸方向の表示解像度を上げて作業を行うことが多い。
【００１７】
時間軸方向の表示解像度を上げて表示するということは、表示されるデジタルオーディデータの時間が短くなることを意味している。ここで、マークすべき開始位置をカーソルで指定した後、マークすべき終了位置までカーソルを移動することになる。このとき、終了位置が開始位置の近辺にある場合には、ジョグダイアルでのカーソルの移動は、特に不便ではない。しかし、終了位置が開始位置から遠い場合には、ジョグダイアルを回し続けて終了位置までカーソルを移動させることになる。この場合には、表示解像度が高いため波形の移動が高速になってしまい、カーソルの位置を正確に把握することができない。カーソルの位置を把握するために、一度表示解像度を下げてから終了位置近辺までカーソルを移動し、表示解像度を戻して終了位置をマークするという手順もあるが、表示解像度の変更のために操作する手順が多くなり、素早く編集することができない。
【００１８】
本発明の目的は、複雑な操作をすることなく、デジタルオーディオデータの編集ポイントを見つけやすくしたデジタルオーディオ編集装置を提供することにある。
【００１９】
例えば、カーソルによる範囲指定の際に、カーソルで指定すべき終了位置が開始位置より遠い場合には、ユーザは、ジョグダイアルを回し続けて終了位置までカーソルを移動させることになるが、解像度が高く波形の移動が高速になっても、ユーザが、カーソルの現在位置を正確に把握することができるデジタルオーディオ編集装置を提供することである。また、ユーザが、カーソルの位置を把握するために、一度解像度を下げてからカーソルを移動し、解像度を戻すという複雑な手順を踏むことがなくなり、素早く編集作業を行うことができるデジタルオーディオ編集装置を提供することである。
【００２０】
【課題を解決するための手段】
上記課題を解決するために、本発明は、デジタルオーディオデータを格納したオーディオファイルのデジタルオーディオ波形を表示部に表示し、該デジタルオーディオ波形に基づいて前記デジタルオーディオデータの編集を行うデジタルオーディオ編集装置において、波形表示中のジョグダイアルの回転速度に応じて、編集対象としているオーディオファイルのデジタルオーディオ波形の全体の概観を縮小表示するウィンドウを表示したり、そのウィンドウを消去したりして、オーディオファイル中の編集ポイントを見つけやすくする。
【００２１】
より具体的には、カーソルの長距離の移動のために、ユーザがジョグダイアルを高速に回転させた場合に、前記ウィンドウを表示する。そして、ユーザがジョグダイアルの回転を停止させる、あるいは、回転速度を遅くすることで、前記ウィンドウを消去する。
【００２２】
すなわち、本発明によれば、
デジタルオーディオデータを格納したオーディオファイルのデジタルオーディオ波形を表示部に表示し、該デジタルオーディオ波形に基づいて前記デジタルオーディオデータの編集を行うデジタルオーディオ編集装置であって、
前記表示部に表示されたデジタルオーディオ波形を時間軸方向に移動させるための回転操作子（ジョグダイアル）を備え、該回転操作子の回転速度および回転方向を検出し、検出された回転速度および回転方向に応じて、前記表示部に表示されたデジタルオーディオ波形の移動量および移動方向を変化させるデジタルオーディオ編集装置において、
前記検出された回転速度が予め定められた閾値以上である状態が、予め定められた時間以上継続したか否かを判定し、前記検出された回転速度が前記閾値以上である状態が、前記時間以上継続したと判定された場合（ユーザがジョグダイアルを高速に回転させた場合）に、前記表示部にデジタルオーディオ波形が表示されているオーディオファイルのデジタルオーディオ波形の全体の概観を、前記表示部に表示する（前記ウィンドウを表示する）制御手段を有することができる。
【００２３】
また、前記制御手段は、
検出された回転速度が前記閾値未満になったか否かを判定し、前記表示部に前記オーディオファイルのデジタルオーディオ波形の全体の概観を表示しているときに、検出された回転速度が前記閾値未満になったと判定された場合（ユーザがジョグダイアルの回転を停止させる、あるいは、回転速度を遅くした場合）に、前記デジタルオーディオ波形の全体の概観の表示を消去する（前記ウィンドウを消去する）こともできる。
【００２４】
【発明の実施の形態】
以下、本発明の実施の形態を、図面を参照しつつ説明する。
【００２５】
図１は、本発明の実施の形態に係るデジタルオーディオ編集装置のハードウェア構成を示すブロック図である。
【００２６】
図１において、デジタルオーディオ編集装置１は、デジタルオーディオ編集装置本体１０と、該デジタルオーディオ編集装置本体１０に接続された表示部１１と、デジタルオーディオ編集装置本体１０に接続された操作装置１２と、デジタルオーディオ編集装置本体１０に接続された記録再生装置１４とを有する。操作装置１２は、複数の操作用のキー・ボタン類（図示せず）およびジョグダイアル１３を備えている。
【００２７】
図２は、図１に示したデジタルオーディオ編集装置１のソフトウェア構成を示すブロック図である。
【００２８】
図２において、デジタルオーディオ編集装置本体１０は、前記表示部１１へどのような画面を表示するかを制御する表示制御部２１と、前記操作装置１２からの信号を後述するシステム制御部２０に伝える操作装置制御部２２と、前記記録再生装置１４と後述するシステム制御部２０との間の入出力を行う記録再生装置制御部２３と、前記表示制御部２１と前記操作装置制御部２２と前記記録再生装置制御部２３とを統括してデジタルオーディオ編集装置１の制御を行うシステム制御部２０とを有する。システム制御部２０、表示制御部２１、操作装置制御部２２、および記録再生装置制御部２３は、それらの動作を記述したプログラムを記録部（図示せず）に格納し、該記録部に格納されたプログラムを、ＣＰＵ（Ｃｅｎｔｒａｌ　Ｐｒｏｃｅｓｓｉｎｇ　Ｕｎｉｔ、図示せず）で実行することにより実現される。
【００２９】
デジタルオーディオ編集装置１において、デジタルオーディオデータを編集する際には、ユーザは、まず、記録再生装置１４から編集対象となるデジタルオーディオデータを、オーディオファイルとして呼び出し、表示部１１にデジタルオーディオ波形として表示させ、このデジタルオーディオ波形に編集操作を行う。
【００３０】
図３は、デジタルオーディオ波形を表示部１１に表示させた場合の表示画面例を示す図である。図３において、３０１は、現在のカーソル位置を示す。ＴＩＭＥ３０２は、カーソル位置の時間を表示する。図３においては、カーソル位置の時間は、００時間１２分２５秒１３フレームである。図３において、３０３は、コマンドボタンである。コマンドボタン３０３は、編集モードの切り換えや、入力切り替えなどの処理を行うための表示ボタンである。編集モードの切り換えや、入力切り替えなどの処理を行う場合などには、ユーザは、処理に該当するコマンドボタン３０３を押下する。図３において、ＺＯＯＭ３０４は、後述する表示倍率を表示する。図３においては、ＺＯＯＭ３０４には、「ＯＦＦ」と表示されているので、表示倍率は１倍である。
【００３１】
以降、図３におけるＡ点からＢ点までを編集操作のためにマークするという動作を例に、本実施形態に係るデジタルオーディオ編集装置１の動作を説明する。
【００３２】
デジタルオーディオ波形画面の表示解像度は、表示倍率により決定することができる。表示倍率は、例えば、１倍、２倍、４倍、８倍、１６倍の５種類を用意することができる。デジタルオーディオ波形画面の時間軸（横軸）に１秒分のデジタルオーディオ波形が表示された場合を倍率１倍とすると、倍率１６倍の場合は、０．０６２５秒分のデジタルオーディオ波形が表示されることとなる。
【００３３】
ユーザは、デジタルオーディオ波形画面の表示倍率を上げる旨の指示を、操作装置１２に設けられているズームアップボタンを押下することで、システム制御部２０に伝えることができる。また、ユーザは、デジタルオーディオ波形画面の表示倍率を下げる旨の指示を、操作装置１２に設けられているズームダウンボタンを押下することで、システム制御部２０に伝えることができる。
【００３４】
まず、図３に示すデジタルオーディ波形画面において、Ａ点を正確に求めるために、ユーザは、ズームアップボタンを何回か押下し、操作しやすい表示倍率に変更する。図４は、図３のデジタルオーディオ波形画面を１６倍の表示倍率までズームアップした例である。図４においては、ＺＯＯＭ４０１に、「ＯＮ　×１６」と表示されており、表示倍率が１６倍であることを示している。
【００３５】
図４に示すデジタルオーディオ波形画面において、ユーザは、マーク開始位置（この例ではＡ点）にカーソルを合わせる操作を行う。マーク開始位置が決定したら（Ａ点へのカーソル合わせが終了したら）、ユーザは、操作装置１２に設けられているマークボタンを押下し、この点がマーク開始位置である旨を、システム制御部２０に伝える。
【００３６】
続いて、ユーザは、マーク終了位置（この例ではＢ点）まで、ジョグダイアル１３を操作してカーソルを移動させる操作を行う必要がある。このとき、Ａ点からＢ点までの距離が長いので、ユーザは、ジョグダイアル１３を、高速で回転させる。
【００３７】
このとき、ジョグダイアル１３の回転情報（回転速度および回転方向）は、操作装置１２から、操作装置制御部２２を通り、システム制御部２０へ伝えられる。
【００３８】
システム制御部２０は、ジョグダイアル１３の回転情報に基づいて、ジョグダイアル１３が高速で回転しているか否かを判定する。すなわち、システム制御部２０は、ジョグダイアル１３の回転速度が予め定められた閾値以上である状態が、予め定められた時間以上継続したか否かを判定し、回転速度が前記閾値以上である状態が、前記時間以上継続したと判定された場合に、ジョグダイアル１３が高速で回転していると判定する。システム制御部２０は、ジョグダイアル１３が高速で回転していると判定すると、編集操作の対象としてデジタルオーディオ波形を表示しているオーディオファイル（プロジェクト）全体のデジタルオーディオ波形の概観を縮小して表示するウィンドウを表示部１１上に表示するように、表示制御部２１に指示する。
【００３９】
たとえば、本実施形態においては、ジョグダイアル１３の回転情報により、毎秒３回転以上が１秒以上続いた場合に、前記プロジェクト全体のデジタルオーディオ波形の概観を縮小して表示するウィンドウを表示部１１の表示画面上に表示することとする。
【００４０】
前記プロジェクト全体のデジタルオーディオ波形の概観を縮小して表示するウィンドウは、表示制御部２１により、前記プロジェクト全体のデジタルオーディオ波形の概観の全長が、表示部１１の表示画面の幅に収まるように、縮小率が設定されて表示される。
【００４１】
また、前記ウィンドウは、表示部１１の表示画面上の、編集操作中のデジタルオーディオ波形表示部分の邪魔にならない位置に表示される。このウィンドウを表示した表示画面の例を図５に示す。
【００４２】
図５において、前記ウィンドウ５００には、当該ウィンドウ５００に表示されたプロジェクトの開始時間５０１と、当該ウィンドウ５００に表示されたプロジェクトの終了時間５０２と、当該ウィンドウ５００に表示されたプロジェクト中の現在のカーソル位置の表示５０３と、当該ウィンドウ５００に表示されたプロジェクト中の現在のカーソル位置の時間５０４とが表示される。
【００４３】
また、マーク開始位置を決定した後にマーク終了位置へカーソルを移動している場合には、当該ウィンドウ５００に表示されたプロジェクト中の、マーク開始位置から現在のカーソル位置までを、斜線で表すこともできる。
【００４４】
ジョグダイアル１３の操作によるカーソルの移動により、表示画面のデジタルオーディオ波形の表示がスクロールしていくのに伴い、前記ウィンドウ５００内のカーソル位置の表示５０３も移動していく。
【００４５】
前記ウィンドウ５００に表示されたプロジェクト全体のデジタルオーディオ波形の概観について、図６を用いて説明する。図６は、前記ウィンドウ５００に表示されたプロジェクト全体のデジタルオーディオ波形の概観の一例を示す説明図である。
【００４６】
図６において、プロジェクト全体のデジタルオーディオ波形の概観の一例は、４つの台形から構成される。これらの台形は、前後に少しずつ重なり合っている。これらの各台形は、編集操作により切り出した楽曲の一部（ブロック）を示す。図６は、編集装置において、楽曲の一部分を切り出した４つのブロックを集めてプロジェクトを作った場合を示している。
【００４７】
図６において、楽曲の一部分を切り出す際に、波形の途中から切り出すと、ブロックの始まり（ブロックの左端）と終わり（ブロックの右端）の部分で、ノイズ（例えば、「ブチッ」という聴き取り可能なノイズ）が発生することがある。このノイズの発生を避けるため、切り出されたブロックの始まりと終わりの部分に、フェードインおよびフェードアウトの処理を行う。このフェードインおよびフェードアウトの処理を表すため、各ブロックの形が台形となっている。
【００４８】
Ａ点−Ｂ点間のマーク操作において、カーソルが、マーク終了位置（この例ではＢ点）に近づくと、ユーザは、Ｂ点の位置を特定するために、ジョグダイアル１３の回転速度を落とすか、またはジョグダイアル１３の回転を一時停止させる動作を行う。このとき、ジョグダイアル１３の回転速度の変化を、システム制御部２０が検知する。すなわち、システム制御部２０は、ジョグダイアル１３の回転速度が、予め定められた閾値未満になったか否かを判定する。そして、ジョグダイアル１３の回転速度が、予め定められた閾値未満になったと判定された場合に、上述のジョグダイアル１３の回転速度の変化を検知することができる。このようにして、ジョグダイアル１３の回転速度の変化（ジョグダイアル１３の回転速度が落とされたか、ジョグダイアル１３の回転が一時停止されたこと）を検知すると、システム制御部２０は、前記ウィンドウ５００の表示を消去するように、表示制御部２１へ指示を出す。表示制御部２１は、この指示を受け、表示部１１上の表示画面におけるウィンドウ５００の表示を消去する。
【００４９】
上記実施形態においては、Ａ点−Ｂ点間のマーク操作を例に挙げたが、表示解像度が高い（表示倍率が大きい）場合に、カーソルを長い距離にわたり移動する編集操作であれば、移動方向が順方向であるか逆方向であるかに関係なく、ジョグダイアル１３の回転速度に応じて、前記ウィンドウ５００の表示および消去を行う。
【００５０】
ウィンドウ５００を表示するための条件となるジョグダイアル１３の回転速度や該回転速度の継続時間の閾値は、編集装置１内に保持されているが、この閾値をユーザにより好みの値に変更することができる構成にしてもよい。
【００５１】
また、ユーザがウィンドウ５００中に縮小表示されているプロジェクト全体のデジタルオーディオ波形の概観を見てカーソルを移動させる場合、ウィンドウ５００中に縮小表示されているプロジェクト全体のデジタルオーディオ波形の概観の中に波形が表示されているほうが、ユーザにとって、よりカーソルの移動先のポイントを把握しやすい。しかし、プロジェクトが時間的に長い場合、波形の表示に時間がかかったり、縮小表示した概観に波形を表示しても波形を判別することができない（波形がつぶれてしまう）という問題が生じることがある。
【００５２】
このため、プロジェクトの時間の長さについて閾値を定め、プロジェクトの時間の長さが該閾値より長い場合にはウィンドウ５００中に波形を表示せず、プロジェクトの時間の長さが該閾値より短い場合にはウィンドウ５００中に波形を表示するように、システム制御部２０により制御してもよい。
【００５３】
これにより、ウィンドウ５００中の波形表示に時間がかかったり、ウィンドウ５００中の波形を判別することができないという問題を生じることなく、ユーザがカーソルの移動先のポイントを把握することが容易となる。
【００５４】
このように、本実施形態によれば、カーソルによる範囲指定の際に、カーソルで指定すべき終了位置が開始位置より遠い場合には、ユーザは、ジョグダイアルを回し続けて終了位置までカーソルを移動させることになるが、解像度が高く波形の移動が高速になっても、ユーザが、カーソルの現在位置を正確に把握することができるデジタルオーディオ編集装置を提供することができる。また、ユーザが、カーソルの位置を把握するために、一度解像度を下げてからカーソルを移動し、解像度を戻すという複雑な手順を踏むことがなくなり、素早く編集作業を行うことができるデジタルオーディオ編集装置を提供することができる。
【００５５】
【発明の効果】
以上説明したとおり、本発明によれば、複雑な操作をすることなく、デジタルオーディオデータの編集ポイントを見つけやすくしたデジタルオーディオ編集装置を提供することができる。
【図面の簡単な説明】
【図１】本発明の実施の形態に係るデジタルオーディオ編集装置のハードウェア構成を示すブロック図。
【図２】本発明の実施の形態に係るデジタルオーディオ編集装置のソフトウェア構成を示すブロック図。
【図３】デジタルオーディオ波形を表示部に表示させた場合の表示画面例を示す説明図。
【図４】デジタルオーディオ波形画面をズームアップした例を示す説明図。
【図５】プロジェクト全体のデジタルオーディオ波形の概観を縮小して表示するウィンドウの表示画面例を示す説明図。
【図６】ウィンドウに表示されたプロジェクト全体のデジタルオーディオ波形の概観の一例を示す説明図。
【図７】従来のデジタルオーディオ編集装置の概略構成図。
【符号の説明】
１…デジタルオーディオ編集装置
１０…デジタルオーディオ編集装置本体
１１…表示部
１２…操作装置
１３…ジョグダイアル
１４…記録再生装置
２０…システム制御部
２１…表示制御部
２２…操作装置制御部
２３…記録再生装置制御部
【図１】
2004110944.tif 000003
【図２】
2004110944.tif 000004
【図３】
2004110944.tif 000005
【図４】
2004110944.tif 000006
【図５】
2004110944.tif 000007
【図６】
2004110944.tif 000008
【図７】
2004110944.tif 000009